(57)【特許請求の範囲】
【請求項１】
未完成の包装箱に被包装物を収納し、その後、未完成の包装箱を製函して完成品とする被包装物の製造方法であって、
包装箱は、巻芯に長尺の帯体が巻かれた被包装物よりも長い底板と、この底板の両側部にそれぞれ接続される一対の側壁板と、この一対の側壁板のうち、一の側壁板に接続されて底板に対向可能な天板と、この天板に接続されて他の側壁板に対向可能な重ね胴板とを含み、底板の両端部に、包装箱の開口部に対応する外蓋フラップをそれぞれ接続し、一対の側壁板の両端部に、包装箱の開口した開口部を覆い、外蓋フラップに被覆される内フラップをそれぞれ接続するとともに、一対の側壁板の内フラップのうち、一の側壁板の内フラップを他の側壁板の内フラップよりも長く形成し、各内フラップには、底板の幅方向に伸びるホットメルト接着剤用のミシン目をそれぞれ複数並べて形成し、
未完成の包装箱に被包装物を収納し、包装箱の一の側壁板の長い内フラップを畳んでその表面に他の側壁板の短い内フラップを畳んで重ねるとともに、これら内フラップの表面に、紫外光により発光・発熱するオレフィン系のホットメルト接着剤を複数に分けてビート塗布し、複数の内フラップの表面に外蓋フラップを折り重ねてホットメルト接着剤で接着することにより、包装箱の開口した両端部を閉塞部とし、包装箱の少なくとも閉塞部付近に波長３５５〜３７５ｎｍの紫外光を照射し、包装箱の少なくとも閉塞部付近の外観を検査装置により検査した後、この検査装置の検査結果に応じて包装箱の良否を判別することを特徴とする被包装物の製造方法。
【請求項２】
包装箱の重ね胴板を、天板に接続されて他の側壁板の表面に重なる胴片と、この胴片にミシン目を介して接続される剥離片とに分割し、他の側壁板の表面と剥離片の裏面のいずれかに、これらを接着する複数の接着部を形成し、剥離片には、複数の接着部のうち、少なくとも一部の接着部の周縁に部分的に沿う複数の切り欠きを形成する請求項１記載の被包装物の製造方法。
【請求項３】
検査装置を、画像センサと非接触温度センサの少なくともいずれかとする請求項１又は２記載の被包装物の製造方法。
【発明の詳細な説明】
【技術分野】
【０００１】
本発明は、芯に包装用のフィルム、アルミホイル、クッキングペーパーが巻かれたロール体等からなる被包装物の製造方法に関するものである。
【背景技術】
【０００２】
従来、食品包装用のロール体２０からなる被包装物を製造する場合には図５に部分的に示すように、未完成の細長い中空の包装箱１Ａ内にロール体２０を挿入し、包装箱１Ａの開口した両端部１６の複数のフラップ１７のうち、一部のフラップ１７を折り畳んで溶融したホットメルト接着剤３０Ａを塗布するとともに、包装箱１Ａの全フラップ１７をホットメルト接着剤３０Ａにより接着して包装箱１Ａの両端部１６をそれぞれ封函し、その後、包装箱１Ａの両端部１６の外観を検査カメラ５１により撮影して検査し、この検査カメラ５１の検査結果に応じて包装箱１Ａの外観良否を判別するようにしている（特許文献１、２、３、４、５、６参照）。
【０００３】
ホットメルト接着剤３０Ａは、例えばポリエチレン系で無色透明の接着剤が使用され、乾燥硬化時間が短く、液だれを防止することができ、しかも、包装箱１Ａに滲みにくい等の特徴を有している。
【０００４】
検査カメラ５１による検査の結果、包装箱１Ａの両端部１６に外観上の問題がない場合には、包装されたロール体２０を良品とし、他の良品のロール体２０と共にまとめて出荷する。
これに対し、包装箱１Ａの両端部１６に外観上の問題がある場合、例えば包装箱１Ａの一部のフラップ１７が適切に折り畳まれていなかったり、フラップ１７からホットメルト接着剤３０Ａが食み出て硬化している場合には、包装されたロール体２０を不良品として系外排出している。
【先行技術文献】
【特許文献】
【０００５】
【特許文献１】特開平０６−００１３３８号公報
【特許文献２】実開平３−１５３３３号公報
【特許文献３】特開２０１５−１９３４２１号公報
【特許文献４】特開２０１２−１０１８１４号公報
【特許文献５】特開２００９−１８４６９２号公報
【特許文献６】特開２００８−２６５８３９号公報
【発明の概要】
【発明が解決しようとする課題】
【０００６】
従来における被包装物は、以上のように製造され、包装箱端部１６のフラップ１７を検査カメラ５１により単に撮影して検査しているので、包装箱１Ａのフラップ１７が適切に折り畳まれていない場合には、包装されたロール体２０を不良品として有効に判別することができるものの、フラップ１７からホットメルト接着剤３０Ａが線条に食み出て硬化している糸引き状態の場合には、包装されたロール体２０を不良品として判別することができないおそれがある。
【０００７】
この点について詳しく説明すると、折り畳まれたフラップ１７の周縁部からホットメルト接着剤３０Ａが非常に細く線条に食み出て硬化し、糸引き状態となっている場合には、ホットメルト接着剤３０Ａが無色透明で光線の反射量が少なく、しかも、凹凸も非常に少ないので、検査カメラ５１により適切に把握して異常を検出できないことがある。この結果、包装されたロール体２０が不良品であるにも拘わらず、良品と判別され、良品・不良品のロール体２０が混在することとなり、出荷作業等に支障を来すおそれがある。
【０００８】
係る問題を解消するには、きわめて解像度の高い高精度の検査カメラを利用すれば良いが、そうすると、製造設備の大型化や複雑化等を招き、製造コストが増大してしまうという問題が新たに生じる。
【０００９】
本発明は上記に鑑みなされたもので、包装箱のフラップからホットメルト接着剤が食み出た場合等にも被包装物を不良品として判別することができ、しかも、製造設備の大型化や複雑化等を防ぎ、製造コストを抑制することのできる被包装物の製造方法を提供することを目的としている。
【課題を解決するための手段】
【００１０】
本発明においては上記課題を解決するため、未完成の包装箱に被包装物を収納し、その後、未完成の包装箱を製函して完成品とする被包装物の製造方法であって、
包装箱は、巻芯に長尺の帯体が巻かれた被包装物よりも長い底板と、この底板の両側部にそれぞれ接続される一対の側壁板と、この一対の側壁板のうち、一の側壁板に接続されて底板に対向可能な天板と、この天板に接続されて他の側壁板に対向可能な重ね胴板とを含み、底板の両端部に、包装箱の開口部に対応する外蓋フラップをそれぞれ接続し、一対の側壁板の両端部に、包装箱の開口した開口部を覆い、外蓋フラップに被覆される内フラップをそれぞれ接続するとともに、一対の側壁板の内フラップのうち、一の側壁板の内フラップを他の側壁板の内フラップよりも長く形成し、各内フラップには、底板の幅方向に伸びるホットメルト接着剤用のミシン目をそれぞれ複数並べて形成し、
未完成の包装箱に被包装物を収納し、包装箱の一の側壁板の長い内フラップを畳んでその表面に他の側壁板の短い内フラップを畳んで重ねるとともに、これら内フラップの表面に、紫外光により発光・発熱するオレフィン系のホットメルト接着剤を複数に分けてビート塗布し、複数の内フラップの表面に外蓋フラップを折り重ねてホットメルト接着剤で接着することにより、包装箱の開口した両端部を閉塞部とし、包装箱の少なくとも閉塞部付近に波長３５５〜３７５ｎｍの紫外光を照射し、包装箱の少なくとも閉塞部付近の外観を検査装置により検査した後、この検査装置の検査結果に応じて包装箱の良否を判別することを特徴としている。
【００１２】
また、包装箱の底板と他の側壁板の境界付近に、被包装物用の切断歯を取り付けることができる。
また、包装箱の重ね胴板を、天板に接続されて他の側壁板の表面に重なる胴片と、この胴片にミシン目を介して接続される剥離片とに分割し、他の側壁板の表面と剥離片の裏面のいずれかに、これらを接着する複数の接着部を形成し、剥離片には、複数の接着部のうち、少なくとも一部の接着部の周縁に部分的に沿う複数の切り欠きを形成することができる。
【００１３】
また、検査装置を、画像センサと非接触温度センサの少なくともいずれかとすると良い。
【００１４】
ここで、特許請求の範囲における包装箱は、３枚フラップタイプでも良いし、４枚フラップタイプ等でも良い。被包装物には、少なくとも巻芯に長尺の帯体であるフィルム、アルミホイル、クッキングペーパー、写真用や建築用のフィルム等が巻かれたロール体、医薬品、家庭用品、菓子、玩具、化学製品、機械製品、建築用品、食材、洗剤、電気電子製品等が含まれる。また、ホットメルト接着剤は、検査装置の検査の障害にならなければ、有彩色でも良いし、白や黒の無彩色でも良い。このホットメルト接着剤は、必要に応じ、包装箱の全てのフラップに塗布されたり、一部のフラップに塗布される。
【００１５】
紫外光の照射と検査装置による検査は、同時でも良いし、紫外光の照射後に検査装置により検査しても良い。さらに、検査装置としては、画像センサ、非接触温度センサ、又は画像センサ及び非接触温度センサを使用することができる。検査装置が画像センサの場合、カメラから取り込んだ濃淡画像を白画素と黒画素の画像に変換して処理するセンサであることが好ましい。
【００１６】
本発明によれば、被包装物を収納した包装箱の開口部が閉塞され、閉塞部となると、この包装箱の少なくとも閉塞部付近に紫外光が照射され、包装箱の少なくとも閉塞部付近、具体的には、折り畳まれたフラップとその付近が検査装置により検査される。
この際、オレフィン系のホットメルト接着剤が紫外光の照射により、発光したり、発熱するので、折り畳まれたフラップ等からホットメルト接着剤が外部に食み出ていたり、包装箱の閉塞部周辺がホットメルト接着剤で汚れている場合には、食み出たホットメルト接着剤の形状やその温度を検査装置により把握することができ、被包装物を包装する包装箱の外観異常を検出することができる。
【発明の効果】
【００１７】
本発明によれば、包装箱の折り畳まれたフラップ等からホットメルト接着剤が食み出た場合等にも被包装物を不良品として判別することができるという効果がある。また、包装された被包装物の外観検査に際し、解像度の高い高精度の検査カメラを特に必要としないので、製造設備の大型化や複雑化等を防ぎ、製造コストを抑制することができる。
【００１８】
また、巻芯に長尺の帯体が巻かれた被包装物の包装に最適な包装箱を得ることができる。また、長い内フラップを先に畳み、この長い内フラップの表面に短い内フラップを後から畳んで重ねるので、一対の内フラップの姿勢を安定させることができ、この一対の内フラップの表面にホットメルト接着剤を適切に塗布したり、外蓋フラップの裏面を強固に接着することが可能となる。また、ホットメルト接着剤を塗布する場合には、内フラップにホットメルト接着剤を複数に分け、ビート塗布するので、例えポリオレフィン系のホットメルト接着剤が接着しにくくても、ホットメルト接着剤の塗布範囲、塗布位置、塗布量を安定させ、確実に接着することが可能となる。また、紫外光の波長が３５５〜３７５ｎｍの範囲なので、検査装置の検査に最適な輝度を得ることができる。
【００１９】
請求項２記載の発明によれば、包装箱の他の側壁板から重ね胴板の剥離片を剥離し、この剥離片を胴片からミシン目に沿って除去すれば、胴片が揺動可能となって天板の開放が可能となり、包装箱内に収納された被包装物を自由に取り扱うことができる。また、一部の切り欠きを利用した操作により、剥離片を他の側壁板から徐々に、かつ簡単に剥離することができる。
【００２１】
請求項３記載の発明によれば、検査装置が画像センサの場合、包装箱の少なくとも閉塞部の外観形状そのものを容易に比較判別することができ、しかも、被包装物の製造の自動化に資することが可能になる。また、検査装置が非接触温度センサの場合、非接触式なので、センサ素子部が高温等により熱劣化せず、しかも、衛生的である。また、短時間で測定したり、低ノイズ化を図ることが可能になる。
【図面の簡単な説明】
【００２２】
【図１】本発明に係る被包装物の製造方法の実施形態を模式的に示す説明図である。
【図２】本発明に係る被包装物の製造方法の実施形態における包装箱を模式的に示す展開図である。
【図３】本発明に係る被包装物の製造方法の実施形態における包装箱の一対の内フラップを折り畳み、この一対の内フラップにホットメルト接着剤を塗布した状態を模式的に示す斜視説明図である。
【図４】本発明に係る被包装物の製造方法の実施形態におけるロール体を模式的に示す斜視説明図である。
【図５】従来における被包装物の製造方法を模式的に示す説明図である。
【発明を実施するための形態】
【００２３】
以下、図面を参照して本発明の好ましい実施の形態を説明すると、本実施形態における被包装物の製造方法は、図１ないし図４に示すように、未完成の細長い包装箱１に食品包装用の被包装物であるロール体２０を挿入し、包装箱１の開口した両端部１６の一対の内フラップ７に、オレフィン系のホットメルト接着剤３０をそれぞれ塗布するとともに、外蓋フラップ４と一対の内フラップ７とを重ねてホットメルト接着剤３０を介し接着することにより、包装箱１の両端部１６をそれぞれ封函し、包装箱１の封函した両端部１６付近に紫外光４０をそれぞれ照射し、包装箱１の封函した両端部１６付近の外観を検査装置５０により検査するようにしている。
【００２４】
包装箱１は、図１〜図３に示すように、巻芯２１に長尺のフィルム２２が巻回されたロール体２０よりも長い底板２と、この底板２の長辺の両側部にそれぞれ接続されてロール体２０を挟持する一対の側壁板６と、この一対の側壁板６のうち、一の側壁板６の長辺に接続されて底板２にロール体２０を介し対向可能な天板９と、この天板９の長辺に接続されて他の側壁板６の表面に対向可能な重ね胴板１０とを備え、これら底板２、一対の側壁板６、天板９、及び重ね胴板１０が化粧されたコートボール紙や段ボールの打ち抜きにより一体形成される。
【００２５】
底板２、一対の側壁板６、天板９、及び重ね胴板１０は、ロール体２０に対応する細長い長方形にそれぞれ形成され、底板２と各側壁板６との間、側壁板６と天板９との間、及び天板９と重ね胴板１０との間に、包装箱１の組立を容易にする折曲用の折り目がそれぞれ形成される。
【００２６】
底板２の表面と他の側壁板６の表面との境界付近には、ロール体２０のフィルム２２用の細長い切断歯３が接着剤等により貼着される。この切断歯３は、一般的には金属により鋸刃形の薄板に形成されるが、必要に応じ、所定の紙や生分解性樹脂により鋸刃形の薄板に成形される。切断歯３が生分解性樹脂の場合には、金属製の場合に比べ、安全性が向上し、切れ味に大きな変化がなく、しかも、廃棄時の分別や処分も実に容易となる。
【００２７】
底板２の短辺の両端部には、包装箱１の開口した端部１６に対応する大きさの外蓋フラップ４がそれぞれ折り目を介し折曲可能に接続され、各外蓋フラップ４が矩形に形成される。外蓋フラップ４の先端部には、天板９の裏面端部に重なる先細りの舌フラップ５が折り目を介し折曲可能に接続され、これら外蓋フラップ４と舌フラップ５とが包装箱１の組立時にＬ字形に屈曲される。
【００２８】
各側壁板６の短辺の両端部には、包装箱１の開口した端部１６を被覆する内フラップ７がそれぞれ折り目を介し折曲可能に接続され、各内フラップ７が折り畳まれた状態で外蓋フラップ４に外側から被覆される。一対の側壁板６の内フラップ７は、天板９の裏面端部との間に外蓋フラップ４の舌フラップ５を挟持するのであれば、同じ大きさや長さでも良いが、必要に応じて変更される。例えば図２に示すように、一の側壁板６の内フラップ７が長く形成されるとともに、他の側壁板６の内フラップ７が短く形成されたり、一の側壁板６の内フラップ７が短く形成され、他の側壁板６の内フラップ７が長く形成される。
【００２９】
各内フラップ７は、矩形あるいは一部切り欠かれた台形等に形成される。この内フラップ７の表面には、ホットメルト接着剤３０の接着を容易にする複数本のミシン目８が間隔をおき並べて形成され、各ミシン目８が底板２や天板９の左右幅方向（図１の奥方向、図２の上下方向）に連続して伸長される。
【００３０】
重ね胴板１０は、天板９の長辺に接続されて他の側壁板６の表面に重なる細長い胴片１１と、この胴片１１にミシン目１２を介して接続される細長い剥離片１３とに分割され、この剥離片１３の裏面長手方向に、他の側壁板６の表面に接着剤により接着される複数の接着部１４が所定の間隔をおき並べて形成されており、各接着部１４が略円形に区画形成されて所定の接着剤が塗布される。
【００３１】
ミシン目１２の両端部には、必要に応じ、胴片１１と剥離片１３との分離を容易にする略三角形の切り欠きがそれぞれ形成される。また、剥離片１３の少なくとも表面長手方向には、複数の接着部１４のうち、少なくとも一部の接着部１４の周縁に部分的に沿う略半円弧形の切り欠き１５が所定の間隔をおきそれぞれ形成され、この複数の切り欠き１５を利用した押圧操作により、剥離片１３の複数の接着部１４間等が部分的に浮き上がり、他の側壁板６の表面から徐々に、かつ簡単に剥離される。
【００３２】
このような重ね胴板１０は、他の側壁板６から剥離片１３が複数の切り欠き１５を介して剥離され、この剥離片１３が胴片１１からミシン目１２に沿って除去されることにより、胴片１１が揺動可能となって天板９の開放を可能とする。天板９が開放可能になると、包装箱１内に収納されたロール体２０を自由に取り扱うことができ、ロール体２０のフィルム２２を所定の長さ分引き出すことができる。
【００３３】
以上のような構成の包装箱１は、他の側壁板６の表面に重ね胴板１０の剥離片１３が接着され、平坦に折り畳まれた未完成の状態で製函機の上流部に複数枚がセットされる。そして、ロール体２０の挿入時に引き起こされることにより、両端部１６が開口部として開口した中空の角筒形に成形され、開口した端部１６から既に製造されたロール体２０が挿入される。
【００３４】
ロール体２０は、図１や図４に示すように、底板２よりも短い巻芯２１を備え、この巻芯２１の外周面に透明帯形のフィルム２２が２０ｍ〜５０ｍ程度、あるいは５０ｍ〜１１０ｍ程度巻回される。巻芯２１は、所定の紙により、円筒形に形成される。また、フィルム２２は、例えば耐熱性や耐水性等に優れるポリ塩化ビニリデン、ポリ塩化ビニル、ポリエチレン等により柔軟な薄膜に成形され、ロール体２０から所定の長さ分引き出された後、包装箱１の切断歯３により切断され、食品の包装に利用される。
【００３５】
ホットメルト接着剤３０は、図１や図３に示すように、例えば紫外光４０の照射により発光・発熱するポリオレフィン系で白色の接着剤からなり、加熱溶融塗布装置であるアプリケータのホッパーに高温で貯留され、このホッパーにホースで接続された接着ガンから包装箱１の複数の内フラップ７表面に溶融状態で供給されてベタ塗りされたり、複数本の線条に塗布される。
【００３６】
ホットメルト接着剤３０は、例えば軟化点が１００〜１１０℃、好ましくは１０５℃程度、粘度が９３０〜９５０ｍＰａ・ｓ（１８０℃）、好ましくは９４０ｍＰａ・ｓ（１８０℃）、適正使用温度が１７０〜１９０℃、好ましくは１８０℃程度、オープンタイム（塗布時から温度が低下して粘着性を喪失するまでの接着可能時間）が１１秒程度、セットタイム（貼り合わせたホットメルト接着剤３０が冷却固化して初期接着力を示すまでの時間）が１秒程度、熱安定性が４９０時間以上、好ましくは５００時間以上、耐熱温度が５０〜７０℃、好ましくは６０℃程度、耐寒温度が−１０〜−３０℃、好ましくは−２０℃程度の物性を有し、ゲル化、炭化物の発生、糸引き量の少ないことが好ましい。
【００３７】
具体的なポリオレフィン系のホットメルト接着剤３０としては、例えばレンメルトＲＨ−１１１〔レンゴー株式会社製：商品名〕、アドバントラシリーズ〔積水フーラー株式会社製：商品名：登録商標〕、クリーンメルトシリーズ〔積水フーラー株式会社製：商品名：登録商標〕等があげられる。また、アプリケータとしては、例えばプロブルーシリーズ〔ノードソン株式会社製：商品名〕が使用され、製函機の側部等に併設される。
【００３８】
このようなホットメルト接着剤３０は、包装箱１の一対の側壁板６の内フラップ７表面に溶融状態で塗布され、複数の内フラップ７の表面に底板２の外蓋フラップ４が折り畳んで圧着・冷却されることにより、接着機能を発揮して各側壁板６の内フラップ７と外蓋フラップ４とを接着する。
【００３９】
紫外光４０は、２４４〜２６４ｎｍ、好ましくは２４９〜２５９ｎｍ、より好ましくは２５４ｎｍ程度の波長、あるいは３５５〜３７５ｎｍ、好ましくは３６０〜３７０ｎｍ、より好ましくは３６５ｎｍ程度の波長からなり、製函機上方の紫外光照射装置４１により、包装箱１の両端部１６にそれぞれ照射される（図１参照）。
【００４０】
紫外光４０の波長が係る範囲なのは、波長が２４４〜２６４ｎｍ、あるいは３５５〜３７５ｎｍの範囲から外れると、包装箱１の端部１６から食み出たホットメルト接着剤３０の検査に必要な発光・発熱量が不十分となるからである。紫外光４０の波長は、２４４〜２６４ｎｍ又は３５５〜３７５ｎｍの範囲で良いが、検査装置５０の検査に最適な輝度を得るためには、３５５〜３７５ｎｍの範囲が好ましい。
【００４１】
検査装置５０は、図１に示すように、例えば製函機の横方向に併設される画像センサ（視覚センサ）からなる。この画像センサは、包装箱１の端部１６を横方向から間隔をおいて撮影する検査カメラ５１と、この検査カメラ５１から取込んだ画像を２値化処理等により計測しやすい画像に加工する画像処理部とを備え、検査カメラ５１で撮影した映像を画像処理することで、包装箱１の端部１６の特徴を算出し、データや判定結果を出力するよう機能する。
【００４２】
画像センサの検査カメラ５１としては、包装箱１の少なくとも両端部１６付近の外観を視覚的に検査できるカメラであれば、特に限定されるものではないが、例えば複数の白黒カメラ、デジタルカラーカメラ、ＣＣＤカメラ等があげられる。この検査装置５０としては、非接触の画像センサが好ましいが、ホットメルト接着剤３０からの放射エネルギーをセンサ素子部で吸収し、ホットメルト接着剤３０の温度を非接触で計測する非接触温度センサ（サーマルセンサ）を併用しても良い。
【００４３】
上記において、食品包装用のロール体２０を製造して出荷する場合には、平坦に折り畳まれた未完成の包装箱１を製函機の上流部に複数枚セットし、製函機を動作させれば良い。すると、包装箱１は、製函機の上流部から中流部方向に搬送されつつ、引き起こされて中空の角筒形に成形され、開口した両端部１６の一方の端部１６から既に製造されたロール体２０が水平に挿入される。
【００４４】
次いで、包装箱１は、製函機の中流部から下流部方向に搬送されつつ、開口した両端部１６周縁の一対の内フラップ７がそれぞれ折り畳まれ、折り畳まれた一対の内フラップ７の表面にポリオレフィン系のホットメルト接着剤３０が薄く塗布される（図３参照）とともに、一対の内フラップ７の表面に外蓋フラップ４が折り重ねられてその舌フラップ５が一対の内フラップ７と天板９との間に挟持され、これら内フラップ７と外蓋フラップ４との接着により、開口した両端部１６がそれぞれ閉塞される。
【００４５】
この際、包装箱１の各端部１６における一対の内フラップ７の長さが異なる場合には、長い内フラップ７を先に畳み、この長い内フラップ７の表面に短い内フラップ７を後から畳んで重ねれば良い。こうすれば、一対の内フラップ７の姿勢を安定させることができるので、この一対の内フラップ７の表面にホットメルト接着剤３０を適切に塗布したり、外蓋フラップ４の裏面を強固に接着することができる。
【００４６】
また、ホットメルト接着剤３０を塗布する場合には、内フラップ７の複数のミシン目８に沿ってホットメルト接着剤３０を複数に分け、ビート塗布することができる（図３参照）。こうすれば、例えポリオレフィン系のホットメルト接着剤３０が接着しにくくても、ホットメルト接着剤３０の塗布範囲、塗布位置、塗布量を安定させ、確実に接着することができる。
【００４７】
包装箱１の開口した両端部１６が閉塞され、完成品となると、この包装箱１の両端部１６やその付近に紫外光４０が紫外光照射装置４１からそれぞれ照射され、包装箱１の各端部１６付近、具体的には、折り畳まれた接着状態の外蓋フラップ４とその付近が検査装置５０の検査カメラ５１により撮影され、検査される（図１参照）。
【００４８】
この際、ポリオレフィン系のホットメルト接着剤３０が紫外光４０の照射により、発光したり、励起エネルギーにより発熱するので、折り畳まれた外蓋フラップ４や内フラップ７の周縁部からホットメルト接着剤３０が外部横方向に食み出て硬化し、発光している場合には、検査装置５０の検査カメラ５１により必ず撮影され、包装箱１の外観異常が明瞭に検出されることとなる。この結果、検査装置５０による検査漏れがなくなり、高精度な検査・判別が可能になる。
【００４９】
検査装置５０による検査の結果、包装箱１の両端部１６に外観上の問題がない場合には、包装されたロール体２０を良品とし、他の良品のロール体２０と共にまとめてダンボールで出荷することができる。
【００５０】
これに対し、包装箱１の両端部１６に外観上の問題がある場合、例えば包装箱１の内フラップ７や外蓋フラップ４が適切に折り畳まれていなかったり、折り畳まれた内フラップ７や外蓋フラップ４の周縁部からホットメルト接着剤３０が細く食み出て硬化し、糸引き状態化していたり、あるいは包装箱１の各端部１６の周縁部にホットメルト接着剤３０が付着して汚れている場合には、包装されたロール体２０を不良品として系外排出することができる。
【００５１】
上記によれば、ホットメルト接着剤３０として、ポリエチレン系のホットメルト接着剤３０Ａよりも糸引き量が少なく、加工性や軽量性に優れるポリオレフィン系の接着剤を用いるので、包装箱１の端部１６からホットメルト接着剤３０が細い線条に食み出て硬化するのを大幅に抑制することができる。また、包装箱１の端部１６のホットメルト接着剤３０が製函機に付着し、製函機が汚染するのを抑制することができる。
【００５２】
また、紫外光の照射で発光・発熱するポリオレフィン系のホットメルト接着剤３０を用いるので、例え包装箱１の端部１６からホットメルト接着剤３０が非常に細い線条に食み出て硬化している場合にも、食み出て発光しているホットメルト接着剤３０の形を画像センサにより適切に撮影して外観の相異を把握することができる。したがって、包装されたロール体２０の良品・不良品を適切に判別することができ、良品・不良品のロール体２０の混在に伴う作業の遅延や煩雑化を有効に防止することができる。
【００５３】
また、画像センサの検査カメラ５１から取り込んだ２５６階調の濃淡画像を白画素と黒画素の画像（２値）に変換して処理すれば、例え包装箱１の表面が防水用のＵＶニス処理で保護されていても、包装箱１の端部１６から食み出た糸引き状態のホットメルト接着剤３０を高精度、かつ高速で撮像し、外観異常を確実に検出することが可能になる。また、包装されたロール体２０の外観検査に際し、解像度の高い高精度の検査カメラを特に用いる必要がないので、製造設備の大型化や複雑化等を防ぎ、製造コストを抑制することが可能になる。
【００５４】
さらに、ポリオレフィン系のホットメルト接着剤３０をアプリケータのホッパーに高温で貯留・溶解しても、黄色等の着色・変色を招くことがなく、ホットメルト接着剤３０の劣化防止が大いに期待できる。したがって、例え一対の内フラップ７と外蓋フラップ４とを重ねて圧着することにより、ホットメルト接着剤３０が外部に僅かに食み出ても、ホットメルト接着剤３０の変色に伴い、包装箱１の体裁や外観が悪化するのを有効に防止することができる。
【００５５】
なお、上記実施形態では包装箱１内にロール体２０を挿入したが、何らこれに限定されるものではなく、例えば医薬品、家庭用品、菓子、玩具、化学製品、機械製品、建築品、コンピュータ機器、情報機器、食品、洗剤、電気製品、電子製品等を収納しても良い。この場合には、収納する対象物に応じ、包装箱１の寸法や大きさを適宜変更すると良い。また、上記実施形態では包装箱１の各側壁板６の両端部に内フラップ７をそれぞれ接続したが、天板９と各側壁板６の両端部に内フラップ７をそれぞれ接続しても良い。
【００５６】
また、包装箱１の一対の内フラップ７にポリオレフィン系のホットメルト接着剤３０をそれぞれ塗布したが、必要に応じ、外蓋フラップ４と一対の内フラップ７とにポリオレフィン系のホットメルト接着剤３０をそれぞれ塗布したり、外蓋フラップ４と一の内フラップ７とにホットメルト接着剤３０を塗布しても良い。また、包装箱１の接着部１４は、楕円形、矩形、多角形、トラック形等でも良く、ポリオレフィン系のホットメルト接着剤３０を塗布することができる。この接着部１４の形状の変更に伴い、切り欠き１５の形を略溝形、略Ｉ字形、略Ｌ字形等に変更することができる。
【００５７】
また、複数の接着部１４は、他の側壁板６の表面に所定の間隔をおき並べて形成することができる。また、切り欠き１５は、全接着部１４の周縁に部分的に沿うよう形成することもできるし、一部の接着部１４の周縁に部分的に沿うよう形成することもできる。また、包装箱１の端部１６のみならず、端部１６を含む全体の外観を検査装置５０により検査することも可能である。さらに、検査装置５０として、検査カメラ５１を省略し、内フラップ７や外蓋フラップ４の周縁部から細く食み出たホットメルト接着剤３０の表面温度を測定し、この測定した温度により、包装箱１の外観異常を検出する非接触温度センサのみを使用することもできる。
【産業上の利用可能性】
【００５８】
本発明に係る被包装物の製造方法は、ロール体、医薬品、家庭用品、菓子、玩具、化学製品、機械製品、建築用品、食材、洗剤、電気電子製品等の製造分野で使用される。
【符号の説明】
【００５９】
１        包装箱
１Ａ      包装箱
２        底板
４        外蓋フラップ（フラップ）
５        舌フラップ
６        側壁板
７        内フラップ（フラップ）
８        ミシン目
９        天板
１０      重ね胴板
１１      胴片
１２      ミシン目
１３      剥離片
１４      接着部
１５      切り欠き
１６      端部（開口部、閉塞部）
２０      ロール体（被包装物）
２１      巻芯
２２      フィルム（帯体）
３０      ホットメルト接着剤
３０Ａ    ホットメルト接着剤
４０      紫外光
５０      検査装置
５１      検査カメラ
【図１】
0006656952.tif 000002
【図２】
0006656952.tif 000003
【図３】
0006656952.tif 000004
【図４】
0006656952.tif 000005
【図５】
0006656952.tif 000006